(57)【要約】      （修正有）【課題】ダイヤモンド、エメラルド、ルビー等の宝石と同様の装飾的機能を持つ、装身具用の貴金属製中空丸玉を提供する。【解決手段】貴金属板材を加工して孔のない中空形状の丸玉を作製し、その表面全体にカット面を形成することにより、宝石のカット構造と同じ形態を持つように加工したことを特徴する。【選択図】図１
0003152795.tif 000002
【実用新案登録請求の範囲】
【請求項１】
貴金属板材を加工して孔のない中空形状の丸玉を作製し、その表面全体にカット面を形成することにより、宝石のカット構造と同じ形態を持つように加工したことを特徴する装身具用の貴金属製中空丸玉。
【請求項２】
宝石のカット構造と同じ形態を持つ装身具用の貴金属製中空丸玉が、一対の半割り部品を非酸化雰囲気ガス中で加熱して拡散溶接した、孔のない中空形状の丸玉であることを特徴する請求項１記載の装身具用の貴金属製中空丸玉。
【請求項３】
宝石のカット構造と同じ形態を持つ装身具用の貴金属製中空丸玉であって、該カットを施した装身具用の中空丸玉の適宜位置に指輪のリング部材、ピアス用ピン、ブローチ用の止め金具等の装身具用止め金具を取り付けたことを特徴する請求項１または２記載の装身具用の貴金属製中空丸玉。
【考案の詳細な説明】
【技術分野】
【０００１】
この考案は、ダイヤモンド、エメラルド、ルビー等の宝石類に代替し得る装身具用の貴金属製中空丸玉に関するものである。
【背景技術】
【０００２】
一般に指輪、ペンダント、ブレスレット、カフスボタンやネクタイピン等の飾りにはダイヤモンドやエメラルド、ルビー等の宝石類が用いられることが多い。
これら宝石類を飾りとして取付けた指輪、ペンダント、ブレスレット、カフスボタンやネクタイピン等の装飾品は非常に高価である。また一般消費者は、この装飾品を宝飾店や地金商に売る場合、宝石部分については品質のグレード、保証は明記されているが、換金に対する保証が全く無いため無価値に等しい。そのため、宝石以外の貴金属部分の評価で値段が決ってしまっていた。
【０００３】
また、貴金属製の中空丸玉をイヤリングやネックレスの飾りとして、あるいはネックレスの連珠として使用することが行なわれている。
そのような中空体は、一般的には実開昭６１−５１１１号公報（特許文献１参照）のような治具を用いて一対の半割り部品を球状に保持し、突合せ端面をロー付けによって溶接して球状に形成している。
また、それぞれの半割り部品に保持軸を取り付けて一対の半割り部品を保持し、その状態で突合せ端面をロー付けによって溶接して球状に形成することも行われている。この場合には保持軸を取り付けるための切欠きが貴金属製の中空丸玉となった場合に穴となって残ってしまうという不都合があった。
他方、特開平３−１３１２０５号公報（特許文献２参照）のように、一対の半割り部品を非酸化雰囲気ガス中で加熱して拡散溶接し、中空の貴金属製丸玉を製造することも行われている。このような製造方法によると、一対の半割り部品の突合せ端部にロー付けの場合のようなロー付け面（時間の経過とともに変色する）が現れないといわれている。
【０００４】
そして、実開昭５９−１４０３３７号公報（特許文献１参照）には、一対の半割り部品をプレス加工によって球状に加工することが示されている。
一方、特開平３−１３１２０５号公報（特許文献２参照）には一対の半割り部品の加工方法については何も示されていない。したがって、金属素材の加工方法として一般的に適用されているプレス加工等の加工方法によって形成されていると類推することができるのみである。
このようなプレス加工においては、金型に所定のカット面を形成することにより、一対の半割り部品の表面に所定のカット面を形成することが可能である。
このようなカット面を形成した装身用玉は、意匠登録第９７５１１９号公報（特許文献３参照）および意匠登録第１２１０７３５号公報（特許文献４参照）等において開示されている。
【先行技術文献】
【特許文献】
【０００５】
【特許文献１】実開昭６１−５１１１号公報
【特許文献２】特開平３−１３１２０５号公報
【特許文献３】意匠登録第９７５１１９号公報
【特許文献４】意匠登録第１２１０７３５号公報
【考案の概要】
【考案が解決しようとする課題】
【０００６】
しかしながら、プレス加工法によってカット面を形成されたものは、ある程度装飾性のある宝石類似の形態とすることはできるものの、カットを施した装身具用の中空丸玉のようなカット面の境界部分の非常に鮮明な境界線を出すことは難しく、したがって付加価値の高い製品を得ることは難しいという問題点があった。
また、前述のようなロー付けによる溶接、あるいは拡散溶接のいずれの場合においても、一対の半割り部品をプレス加工によってカット面を有するように加工する際は、予め金型に所定のカット面を形成することによってカット面を形成する必要があった。したがって、いかに工夫したとしても一対の半割り部品の突合せ端部においてカット面が不自然に分断されてしまい、装飾性に優れ、付加価値の高い製品を得るのは非常に困難であった。
【０００７】
そこでこの考案は、従来例の前記課題を解消しようとするものであり、ダイヤモンド、エメラルド、ルビー等の宝石と同様の優れた装飾的機能を持つ、装身具用の貴金属製中空丸玉を提供しようとするものである。
【課題を解決するための手段】
【０００８】
すなわちこの考案の装身具用の貴金属製中空丸玉は、貴金属板材を加工して孔のない中空形状の丸玉を作製し、その表面全体にカット面を形成することにより、宝石のカット構造と同じ形態を持つように加工したことを特徴するものである。
【０００９】
この考案の装身具用の貴金属製中空丸玉は、宝石のカット構造と同じ形態を持つ装身具用の貴金属製中空丸玉が、一対の半割り部品を非酸化雰囲気ガス中で加熱して拡散溶接した、孔のない中空形状の丸玉であることをも特徴するものである。
【００１０】
この考案の装身具用の貴金属製中空丸玉は、宝石のカット構造と同じ形態を持つ装身具用の貴金属製中空丸玉であって、該カットを施した装身具用の中空丸玉の適宜位置に指輪のリング部材、ピアス用ピン、ブローチ用の止め金具等の装身具用止め金具を取り付けたことをも特徴するものである。
【考案の効果】
【００１１】
この考案の装身具用の貴金属製中空丸玉によれば、従来のプレス加工法によってカット面を形成されたものと比べ、カットを施した装身具用の中空丸玉は、カット面の境界部分の非常に鮮明な境界線を備えており、したがって非常に付加価値の高い製品を得ることが可能となった。
また、該カットを施した装身具用の中空丸玉は孔のない球状に形成されており、適宜位置に指輪のリング部材、ピアス用ピン、ブローチ用の止め金具等の装身具用止め金具を取り付けた構造とすることにより、従来の宝石取付用のいわゆる石座が不要となって、全体として一体感に優れた装飾品を得ることができるようになった。
【図面の簡単な説明】
【００１２】
【図１】この考案の装身具用の貴金属製中空丸玉の１実施例を示すものであって、貴金属製の全面にカットを施した装身具用の中空丸玉の平面図である。
【図２】その断面図である。
【図３】貴金属製の全面にカットを施した装身具用の中空丸玉の下端にピアス用のピンを取付けた状態の平面図である。
【考案を実施するための形態】
【００１３】
以下、この考案の装身具用の貴金属製中空丸玉の実施の形態を図面に基いて詳細に説明する。
図１および図２はこの考案の装身具用の貴金属製中空丸玉の１実施例を示すものであり、その表面に多数の小さいカット面を施した状態を示すものである。
前記貴金属製の中空丸玉は、プレス金型等を用いて半球状に形成した半割り部品を準備し、一対の半割り部品を開口部分をつき合わせた状態で、密封可能な治具に収容して半割り部品を非酸化雰囲気下に置き、これを固相線以下の温度で加熱することにより、いわゆる拡散溶接で製造したものである。もちろん拡散溶接に際して、ロー材を用いても、あるいは用いなくてもよい。
いずれにしても、得た貴金属製中空丸玉は金や銀、プラチナ、あるいはこれらの合金からなり、肉厚が約０．２〜０．５ｍｍ程度で、ロー目が目立たず、またどこにも穴の開いていない商品価値の非常に高いものである。
【００１４】
この貴金属製中空丸玉は、図１および図２に示す実施例においては、いわゆる研磨によってカットした装身具用の貴金属製中空丸玉１１が示されている。このカット面１２を形成した貴金属製中空丸玉１１は、従来のダイヤモンド等の宝石を所定のカット面１２を有するように研磨する研磨機械を用いて加工されたものである。ちなみに、表面を削り取るような研削機械を用いて所定のカット面を有するように研削した場合には、カット面の周辺にいわゆる「より」が生じてしまい、良好な品質のカット面を有する装身具用の貴金属製中空丸玉を得ることはできなかった。
【００１５】
一般に、ダイヤモンド等の宝石にカット面を形成するための研磨加工方法は、下記のような工程で行われる。
１．  トリミング（荒削り）・・・ダイヤモンドカッター、リューター等でほとんど仕上がりに近い形にする。
２．  形作り・・・♯６００のダイヤディスクでファセットの形を完全に仕上げる。
３．  つや出しの下準備・・・♯１２００のダイヤディスクで研磨する。
４．  つや出し・・・♯１４０００以上のダイヤモンドパウダーをティンラップに付けて研磨する。
５．  仕上がりの確認・・・研磨面に光を反射させ、反射を左右に少しずらしながらルーペで研磨痕（キズ）が残っているかどうかを確認する。
【００１６】
しかしながら、この考案の装身具用の貴金属製中空丸玉の研磨加工に際しては、貴金属製中空丸玉の肉厚が約０．２〜０．５ｍｍ程度であることも考慮すると、前記１、トリミングの工程を省略し、前記２．形作り以降の研磨工程のみによって研磨加工することが望ましい。
すなわち、貴金属製中空丸玉１１の肉厚が約０．２ｍｍとすると、研磨によって０．１ｍｍ肉厚が減るだけで中空丸玉１１の肉厚は０．１ｍｍとなってしまうのである。そのため、おのずと研磨によるカット面１２の大きさも限界があり、中空丸玉１１の肉厚が充分な強度を保つ上で必要なものとなるようなカット面１２とすることが必要である。
例えば、貴金属製中空丸玉１１の肉厚が約０．２ｍｍで直径が１１ｍｍの場合、中空丸玉１１の全面に約５０〜３００のカット面１２を形成することが望ましい。カット面１２が約５０に満たない場合は中空丸玉１１の肉厚が充分な強度を保つことができないものとなり、またカット面１２が約３００を超える場合は加工に手間がかかりすぎる上、カット面１２が小さくなりすぎてデザイン上好ましくなくなってしまう。
いずれにしてもカット面１２の数は、貴金属製中空丸玉１１の素材や肉厚、その径等を勘案して適宜決定することが望ましい。
【００１７】
なお図面においては、貴金属製中空丸玉１１の全面にカット面１２を形成した場合について例示しているが、線状（ライン状）や西瓜のような縞状、その他適宜のモチーフを描くようにカット面１２を形成することができる。
【００１８】
図３の実施例はカット面１２を形成した貴金属製中空丸玉１１にピン２１を突設した場合について説明するためのものであり、この実施例ではピン２１としてピアス用ピンの例を示している。２２はいわゆるキャッチがはめ込まれる周溝である。
【００１９】
以上のように、この考案の装身具用の貴金属製中空丸玉においては、前記ピアス用ピン２１と同様に、カット面１２を形成した装身具用の中空丸玉１２の適宜位置に指輪のリング部材、ブローチ用の止め金具等からなる装身具用止め金具を取り付けることができる。
その際、装身具用の貴金属製中空丸玉１１は各種の止め金具が貴金属製であることと相まって、ロー付け等によって簡単に取付けることができ、従来の宝石を取付けるための石座等が不要となる。
【００２０】
したがって、貴金属製中空丸玉１１が石座等の取付部位から脱落するおそれが解消するだけでなく、止め金具として装身具用の貴金属製中空丸玉１１とロー付け等の加工において、金や銀、プラチナ、あるいはそれらの合金類からなじみのよい貴金属素材を選ぶことにより、止め金具が非常に強固に溶接された装身具を得ることができるようになった。
【産業上の利用可能性】
【００２１】
この考案の装身具用の貴金属製中空丸玉は、指輪、ペンダント、ブレスレット、カフスボタンやネクタイピン等の飾り等の用途のみならず、宝石を利用する服飾その他の用途にも適用できる。
【符号の説明】
【００２２】
１１  装身具用の中空丸玉
１２  カット面
２１  ピアス用のピン
２２  周溝
【図１】
0003152795.tif 000003
【図２】
0003152795.tif 000004
【図３】
0003152795.tif 000005